(57)【要約】  【課題】  複雑な操作を行うことなく利用者が選択した任意の音声ファイルをタイマー再生する機能を備える再生装置を提供することを目的とする。  【解決手段】  予めタイマー再生用情報を記載した再生用ファイルをメモリプレーヤー３に準備しておき、ＵＳＢデータ処理部３１が当該ファイルの存在を検知すると、タイマー再生用ファイルの存在をマイコン１１に通知する。マイコン１１は、指定された時刻になると、ＵＳＢデータ処理部３１に指定ファイルの読み込み指示を行い、メモリプレーヤー３から当該ファイルが読み出され、出力処理部２５より自動的に音声出力される。これによって、複雑なキー操作やリモコン操作なしにタイマー再生を行うことができる。【選択図】      図３
2007127686.tif 000002
【特許請求の範囲】
【請求項１】
再生対象となる少なくとも一以上の音声ファイルが記録されている記録媒体から当該音声ファイルを読み出して外部に音声信号として出力する再生装置であって、
全体の制御を行う制御部と、
前記記録媒体と接続するためのインターフェース部と、
前記制御部からの指示信号を受けて、前記インターフェース部を介して記録媒体に記録されているファイルを読み出すファイルシステム管理部と、を備え、
前記音声ファイルが、音声データで構成される第１の領域と、該ファイルの属性情報で構成される第２の領域とで形成されており、
前記ファイルシステム管理部が、記録媒体に記録されている音声ファイルに備えられる前記第２の領域に所定の時刻になると自動的に再生を行う旨の情報であるタイマー再生情報が記載されていることを検知すると、当該情報を前記制御部に与えるとともに、前記所定の時刻に前記制御部からの指示を受けて前記記録媒体から当該音声ファイルに含まれる音声データを読み出して外部に音声信号として出力することを特徴とする再生装置。
【請求項２】
前記ファイルシステム管理部が、前記第２の領域から再生開始時刻の情報と再生終了時刻の情報を検知して前記制御部に与え、
前記再生開始時刻になると前記制御部からの指示を受けて前記記録媒体から当該音声ファイルに含まれる音声データを読み出して外部に音声信号として出力するとともに、前記再生終了時刻になると前記制御部からの指示を受けて前記記録媒体からの音声データの読み出しを終了することを特徴とする請求項１に記載の再生装置。
【請求項３】
前記ファイルシステム管理部が、前記音声ファイルのファイル名から前記タイマー再生情報を検知することを特徴とする請求項１または請求項２に記載の再生装置。
【請求項４】
少なくとも一以上の音源を備え、該音源から出力される音声信号を少なくとも一以上の録音先ファイルに録音する記録再生装置であって、
全体の制御を行う制御部と、
前記録音先ファイルが格納される記録媒体と接続するためのインターフェース部と、
前記制御部からの指示信号を受けて、前記インターフェース部を介して記録媒体に記録されているファイルを読み出すファイルシステム管理部と、を備え、
前記録音先ファイルが、音声データで構成される第１の領域と、該ファイルの属性情報で構成される第２の領域とで形成されており、
前記ファイルシステム管理部が、記録媒体に記録されている録音先ファイルに備えられる前記第２の領域に所定の時刻になると自動的に録音を行う旨の情報であるタイマー録音情報が記載されていることを検知すると、当該情報を前記制御部に与えるとともに、前記所定の時刻に前記制御部からの指示を受けて、前記音源から出力される音声信号を録音先ファイルの前記第１の領域に書き込むことを特徴とする記録再生装置。
【請求項５】
前記ファイルシステム管理部が、前記第２の領域から録音開始時刻の情報と録音終了時刻の情報を検知して前記制御部に与え、
前記録音開始時刻になると前記制御部からの指示を受けて前記音源から出力される音声信号を録音先ファイルの前記第１の領域に書込を開始するとともに、前記録音終了時刻になると前記制御部からの指示を受けて前記音源から出力される音声信号の書込を終了することを特徴とする請求項４に記載の記録再生装置。
【請求項６】
前記ファイルシステム管理部が、前記第２の領域から録音元となる音源情報を検知すると、当該情報を前記制御部に与えるとともに、前記所定の時刻に前記制御部からの指示を受けて、前記音源情報に記載されている一の音源から出力される音声信号を録音先ファイルの前記第１の領域に書き込むことを特徴とする請求項４または請求項５に記載の記録再生装置。
【請求項７】
前記ファイルシステム管理部が、前記第２の領域からファイルに対する上書きを行うかファイルへの追記を行うかを示す記録方法情報を検知すると、当該情報を前記制御部に与えるとともに、前記所定の時刻に前記制御部からの指示を受けて、前記音源から出力される音声信号を録音先ファイルの前記第１の領域に前記記録方法情報に記載された方法で書き込むことを特徴とする請求項４〜請求項６のいずれかに記載の記録再生装置。
【請求項８】
前記ファイルシステム管理部が、前記録音先ファイルのファイル名から前記タイマー録音情報を検知することを特徴とする請求項４〜請求項７のいずれかに記載の記録再生装置。
【請求項９】
少なくとも一以上の音源を備え、該音源から出力される音声信号を少なくとも一以上の録音先ファイルに録音する記録再生装置であって、
再生対象となる少なくとも一以上の音声ファイルが記録されている記録媒体から当該音声ファイルを読み出して外部に音声信号として出力する再生機能を有しており、
前記音声ファイルが、音声データで構成される第３の領域と、該ファイルの属性情報で構成される第４の領域とで形成されており、
前記ファイルシステム管理部が、記録媒体に記録されている音声ファイルに備えられる前記第４の領域に所定の時刻になると自動的に再生を行う旨の情報であるタイマー再生情報が記載されていることを検知すると、当該情報を前記制御部に与えるとともに、前記所定の時刻に前記制御部からの指示を受けて前記記録媒体から当該音声ファイルに含まれる音声データを読み出して外部に音声信号として出力することを特徴とする請求項４〜請求項８のいずれかに記載の記録再生装置。
【請求項１０】
前記ファイルシステム管理部が、前記第４の領域から再生開始時刻の情報と再生終了時刻の情報を検知して前記制御部に与え、
前記再生開始時刻になると前記制御部からの指示を受けて前記記録媒体から当該音声ファイルに含まれる音声データを読み出して外部に音声信号として出力するとともに、前記再生終了時刻になると前記制御部からの指示を受けて前記記録媒体からの音声データの読み出しを終了することを特徴とする請求項９に記載の記録再生装置。
【請求項１１】
前記ファイルシステム管理部が、前記音声ファイルのファイル名から前記タイマー再生情報を検知することを特徴とする請求項９または請求項１０に記載の記録再生装置。
【発明の詳細な説明】
【技術分野】
【０００１】
本発明は、音声情報の再生装置に関し、特に予め設定された時刻に再生処理を自動的に行う機能を備える再生装置に関するものである。また、本発明は、音声情報の記録再生装置に関し、特に予め設定された時刻に記録処理を自動的に行う機能を備える記録再生装置に関するものである。
【背景技術】
【０００２】
近年、音楽や映画などの情報を記録あるいは再生を行うための様々な装置が開発されている。これらの装置はタイマー再生やタイマー録音などの付加機能を搭載しているものが多い。例えば、特許文献１には、タイマーにより再生する機能を有した情報再生装置が開示されている。
【０００３】
また、近年では音楽や映画などのアナログ情報をデジタル情報化して、記録、再生する装置が開発されており、特にパーソナルコンピュータ（以下、「パソコン」と呼称する）のファイルとして音楽や映画のデータを記録装置は急速に普及している。また最近では、例えばＵＳＢインターフェース搭載の小型ストレージメモリ装置などのように、半導体メモリを用いた携帯型の記録再生装置も開発されている。これらは、小型化が可能であり、その利便性からパソコンの外部メモリ用途として急速に普及が進んでいる。
【０００４】
また、半導体メモリを用いた携帯型の記録再生装置としては、パソコンの外部ストレージ用途だけでなく、音声ファイルの符号化、復号化回路を内蔵し、単体で記録再生が可能な装置（例えば携帯型デジタル音楽プレーヤー）も開発されている。
【０００５】
また、他にもパソコンを介さずとも、これらの携帯型半導体メモリあるいは半導体メモリカードを記録媒体として、これを本体に装着することにより記録再生が可能な音響システム（例えばＣＤラジカセタイプや、ＣＤコンポタイプ）も実用化されつつある。
【０００６】
上記各例は、記録、再生の対象を電子データとしてのファイルで利用することができるという点で共通である。一方で、これらの装置に対して録音やタイマーを設定する方法は、従来のＣＤラジカセやＭＤプレーヤーなどのユーザーインターフェースに合わせて設計されているのが実情である。
【特許文献１】特開平１１−１４９０７２号公報
【発明の開示】
【発明が解決しようとする課題】
【０００７】
ところで、例えば特許文献１に記載のようなタイマー再生機能を備える再生装置、あるいは再生記録装置に対しタイマーを設定する際、利用者は、リモコンやキー操作によって再生または録音を開始する時刻を指定する構成となっている。このとき、リモコンやキー操作によって時刻を設定するのは、煩雑な操作を要求される場合が多いのが実情である。
【０００８】
また、タイマー再生で例えば好みの曲を指定時刻に再生させたい場合には、上記手続きに加えて曲番号を指定する操作を必要とするため、さらに煩雑な操作が要求される。
【０００９】
また、近年のメディアの記録密度の向上により、一つのメディアに記録できるファイルの数が増加の一途をたどっており、このような大量のファイル群の中からタイマー再生する曲をキー操作によって指定するのは非常に困難であるため、タイマー再生時に好みの曲を指定する操作を実装せず、最初の曲から再生する仕様や、最後に聴いていた曲から再生を開始する仕様のものが多いのが実情である。
【００１０】
さらに、タイマー設定操作は機種によってそれぞれ操作方法が異なり、利用者は機種に応じた操作方法を覚える必要があった。
【００１１】
一方、タイマー録音を行う場合においては、パソコンの外部メモリ用途として利用できるメモリの場合、ファイル名を付けて録音をする必要があるとともに、当該ファイルを保存するフォルダを指定する必要がある。このような操作をキー操作で行うのは非常に煩雑である。
【００１２】
本発明は、上記の問題点に鑑みて、複雑な操作を行うことなく利用者が選択した任意の音声ファイルをタイマー再生する機能を備える再生装置を提供することを目的とする。また、上記タイマー再生機能に加えて、任意のファイルに音源ソースから出力される音声データをタイマー録音する機能を備える再生記録装置を提供することを目的とする。
【課題を解決するための手段】
【００１３】
上記目的を達成すべく、本発明の再生装置は、再生対象となる少なくとも一以上の音声ファイルが記録されている記録媒体から当該音声ファイルを読み出して外部に音声信号として出力する再生装置であって、全体の制御を行う制御部と、前記記録媒体と接続するためのインターフェース部と、前記制御部からの指示信号を受けて、前記インターフェース部を介して記録媒体に記録されているファイルを読み出すファイルシステム管理部と、を備え、前記音声ファイルが、音声データで構成される第１の領域と、該ファイルの属性情報で構成される第２の領域とで形成されており、前記ファイルシステム管理部が、記録媒体に記録されている音声ファイルに備えられる前記第２の領域に所定の時刻になると自動的に再生を行う旨の情報であるタイマー再生情報が記載されていることを検知すると、当該情報を前記制御部に与えるとともに、前記所定の時刻に前記制御部からの指示を受けて前記記録媒体から当該音声ファイルに含まれる音声データを読み出して外部に音声信号として出力することを特徴とする。
【００１４】
このように構成されることで、再生元ファイルに予めタイマー再生情報を記載しておけば、当該情報を検知すると自動的にタイマー再生の設定が行われて所望の時刻に該当ファイルの再生が行われる。このため、利用者はタイマー再生機能を利用するために、リモコンや操作キーを用いた複雑な操作を行う必要がない。
【００１５】
更に、本発明の再生装置は、前記ファイルシステム管理部が、前記第２の領域から再生開始時刻の情報と再生終了時刻の情報を検知して前記制御部に与え、前記再生開始時刻になると前記制御部からの指示を受けて前記記録媒体から当該音声ファイルに含まれる音声データを読み出して外部に音声信号として出力するとともに、前記再生終了時刻になると前記制御部からの指示を受けて前記記録媒体からの音声データの読み出しを終了することを特徴とする。
【００１６】
このように構成されることで、所定の時刻になると自動的に再生が行われるとともに、さらに所定の時刻に当該再生を自動的に停止することができる。
【００１７】
更に、本発明の再生装置は、前記ファイルシステム管理部が、前記音声ファイルのファイル名から前記タイマー再生情報を検知することを特徴とする。
【００１８】
このように構成されることで、利用者は、タイマー再生を行いたい音楽ファイルのファイル名を変更するのみで、当該音楽ファイルをタイマー再生させることができる。
【００１９】
また、本発明の記録再生装置は、少なくとも一以上の音源を備え、該音源から出力される音声信号を少なくとも一以上の録音先ファイルに録音する記録再生装置であって、全体の制御を行う制御部と、前記録音先ファイルが格納される記録媒体と接続するためのインターフェース部と、前記制御部からの指示信号を受けて、前記インターフェース部を介して記録媒体に記録されているファイルを読み出すファイルシステム管理部と、を備え、前記録音先ファイルが、音声データで構成される第１の領域と、該ファイルの属性情報で構成される第２の領域とで形成されており、前記ファイルシステム管理部が、記録媒体に記録されている録音先ファイルに備えられる前記第２の領域に所定の時刻になると自動的に録音を行う旨の情報であるタイマー録音情報が記載されていることを検知すると、当該情報を前記制御部に与えるとともに、前記所定の時刻に前記制御部からの指示を受けて、前記音源から出力される音声信号を録音先ファイルの前記第１の領域に書き込むことを特徴とする。
【００２０】
このように構成されることで、録音先ファイルに予めタイマー録音情報を記載しておけば、当該情報を検知すると自動的にタイマー録音の設定が行われて所望の時刻に該当ファイルへの録音が行われる。このため、利用者はタイマー録音機能を利用するために、リモコンや操作キーを用いた複雑な操作を行う必要がない。
【００２１】
更に、本発明の記録再生装置は、前記ファイルシステム管理部が、前記第２の領域から録音開始時刻の情報と録音終了時刻の情報を検知して前記制御部に与え、前記録音開始時刻になると前記制御部からの指示を受けて前記音源から出力される音声信号を録音先ファイルの前記第１の領域に書込を開始するとともに、前記録音終了時刻になると前記制御部からの指示を受けて前記音源から出力される音声信号の書込を終了することを特徴とする。
【００２２】
更に、本発明の記録再生装置は、前記ファイルシステム管理部が、前記第２の領域から録音元となる音源情報を検知すると、当該情報を前記制御部に与えるとともに、前記所定の時刻に前記制御部からの指示を受けて、前記音源情報に記載されている一の音源から出力される音声信号を録音先ファイルの前記第１の領域に書き込むことを特徴とする。
【００２３】
ここで音源情報としては、ＣＤ、カセットテープ、ラジオ、ＭＤなどを想定しており、さらにラジオの場合には、ＡＭ放送、ＦＭ放送の種別、さらには周波数の情報についても前記第２の領域に記載することで、所望の番組を自動的に録音することができる。
【００２４】
更に、本発明の記録再生装置は、前記ファイルシステム管理部が、前記第２の領域からファイルに対する上書きを行うかファイルへの追記を行うかを示す記録方法情報を検知すると、当該情報を前記制御部に与えるとともに、前記所定の時刻に前記制御部からの指示を受けて、前記音源から出力される音声信号を録音先ファイルの前記第１の領域に前記記録方法情報に記載された方法で書き込むことを特徴とする。
【００２５】
更に、本発明の記録再生装置は、前記ファイルシステム管理部が、前記録音先ファイルのファイル名から前記タイマー録音情報を検知することを特徴とする。
【００２６】
また、本発明の記録再生装置は、少なくとも一以上の音源を備え、該音源から出力される音声信号を少なくとも一以上の録音先ファイルに録音する記録再生装置であって、再生対象となる少なくとも一以上の音声ファイルが記録されている記録媒体から当該音声ファイルを読み出して外部に音声信号として出力する再生機能を有しており、前記音声ファイルが、音声データで構成される第３の領域と、該ファイルの属性情報で構成される第４の領域とで形成されており、前記ファイルシステム管理部が、記録媒体に記録されている音声ファイルに備えられる前記第４の領域に所定の時刻になると自動的に再生を行う旨の情報であるタイマー再生情報が記載されていることを検知すると、当該情報を前記制御部に与えるとともに、前記所定の時刻に前記制御部からの指示を受けて前記記録媒体から当該音声ファイルに含まれる音声データを読み出して外部に音声信号として出力することを特徴とする。
【００２７】
更に、本発明の記録再生装置は、前記ファイルシステム管理部が、前記第４の領域から再生開始時刻の情報と再生終了時刻の情報を検知して前記制御部に与え、前記再生開始時刻になると前記制御部からの指示を受けて前記記録媒体から当該音声ファイルに含まれる音声データを読み出して外部に音声信号として出力するとともに、前記再生終了時刻になると前記制御部からの指示を受けて前記記録媒体からの音声データの読み出しを終了することを特徴とする。
【００２８】
更に、本発明の記録再生装置は、前記ファイルシステム管理部が、前記音声ファイルのファイル名から前記タイマー再生情報を検知することを特徴とする。
【発明の効果】
【００２９】
本発明の構成によれば、再生元ファイルに予めタイマー再生情報を記載しておくことで、当該情報を検知すると自動的にタイマー再生の設定が行われて所望の時刻に該当ファイルの再生が行われる。このため、利用者はタイマー再生機能を利用するために、リモコンや操作キーを用いた複雑な操作を行う必要がない。
【００３０】
また、同様に、録音先ファイルに予めタイマー録音情報を記載しておくことで、当該情報を検知すると自動的にタイマー録音の設定が行われて所望の時刻に該当ファイルへの録音が行われる。このため、利用者はタイマー録音機能を利用するために、リモコンや操作キーを用いた複雑な操作を行う必要がない。
【００３１】
特に、これらタイマー再生情報ならびにタイマー録音情報を、ファイル名として記載することで、利用者は、ファイル名を変更するのみでタイマー再生ならびにタイマー録音の設定を行うことができるため、設定が容易であるとともに、記録再生装置の機種ごとにタイマー設定方法を習得する必要がなくなるという効果がある。
【発明を実施するための最良の形態】
【００３２】
以下に本発明の実施形態について図面を参照して説明を行う。まず本発明の一実施例について概念的に説明を行った後、各構成要素の機能についての詳細な説明を行うものとする。
【００３３】
（１．実施例）
図１は、本発明の一実施例を示す概念図である。図１に示されるシステム１は、パーソナルコンピュータ２（以下、「パソコン」と呼称する）と着脱可能な半導体メモリ装置を内蔵したメモリプレーヤー３と、音楽ファイルの再生ならびに録音が可能な音楽記録再生装置４と、で構成される。なお、以下において、パソコン２は一つ以上の音楽ファイルを内部もしくは外部の記憶媒体に記憶しているものとし、パソコン２によって当該音楽ファイルが読み出し可能な構成であるものとする。なお、以下では、メモリプレーヤー３はＵＳＢインターフェースを備える形式とするが、パソコン２及び音楽記録再生装置４と接続可能なインターフェースを備えていればよく、このインターフェースはＵＳＢ形式に限られるものではない。また、音楽記録再生装置４は、内部に時計機能を備える構成とする。
【００３４】
図１（ａ）に示すように、利用者は、まずパソコン２にメモリプレーヤー３をＵＳＢインターフェースを介して接続し、パソコン２に予め格納されている一つ以上の音楽データから任意の音楽データを選択して転送を行う（ステップＳ１）。このときパソコン２から転送されたファイルのファイル名は、パソコン２のファイルシステムで管理されているファイル名と同一のファイル名となる。なお、ファイル転送時にメモリプレーヤ３に予め一つ以上の音楽ファイルが記憶されていても構わない。
【００３５】
次に利用者は、パソコン２よりプレーヤー３に格納されているファイル一覧より、所定の時刻になると自動的にタイマーによって再生を行いたい任意の音楽ファイルを選択し、所定の規則の下でファイル名を変更する（ステップＳ２）。例えば、図２に示すように、ある音楽ファイル「ＡＢＣＳＯＮＧ．ｍｐ３」のファイル名を「ＴＩＭＰ０７３０．ｍｐ３」のように変更する。ここで、「ＴＩＭＰ」はタイマー再生を行うことを表しており、「ＴＩＭＰ」以下の数字が当該タイマー再生を行う時刻を表している。この例では、ファイル名を変更されたこの音楽ファイルは７時３０分に再生が行われることを表している。なお、拡張子「ｍｐ３」は音声データ形式の一例であって、通常は符号化形式によって異なるため、拡張子はｍｐ３に限定されるものではなく音声データを示す拡張子であれば他の拡張子であっても構わない。利用者は、タイマー再生を行いたい他のファイルについても、上記規則に基づいて同様にリネーム処理（ファイル名の変更）を行う。
【００３６】
なお、ファイルシステムを用いた音楽プレーヤーは、通常、音楽ファイルの曲名をファイルヘッダから読込んで表示するため、ファイル名を変更した場合にも曲名が変更されるということはない。また、あらかじめパソコン２側で所定の規則の下でのファイル名とした後、メモリプレーヤー３に書き込むものとしてもよい。
【００３７】
また、所定の時刻になると自動的にタイマーによって他の音源ソースからの音声データを録音したい場合には、パソコン２によって新しいファイルを作成するとともに、そのファイル名を例えば「ＴＩＭＲ０８００＿０８３０．ｍｐ３」のように設定する。ここで、「ＴＩＭＲ」はタイマー録音を行うことを表しており、「ＴＩＭＲ」以下の数字が当該タイマー録音を行う時間を表している。この例では、８時から８時３０分までの間、当該ファイルに音声データを書き込む（録音する）処理が行われることを表している。なお、上記と同様、拡張子「ｍｐ３」は音声データ形式の一例であって、通常は符号化形式によって異なるため、拡張子はｍｐ３に限定されるものではなく音声データを示す拡張子であれば他の拡張子であっても構わない。利用者は、タイマー録音を行いたい他の時間についても、上記規則に基づいて同様に新規ファイルを作成する。
【００３８】
なお、録音ファイル名については、開始時刻と終了時刻を設定するファイル形式の他に、開始時間と録音時間を設定する形式に基づいてファイル名を定めるものとしても構わない。例えば、８時から３０分間録音を行いたい場合には、ファイル名を「ＴＩＭＲ０８００〜３０Ｍ．ｍｐ３」のように表すものとしても構わない。また、終了時刻が記載されていない場合（例えばファイル名が「ＴＩＭＲ０８００．ｍｐ３」のように設定されている場合）には、録音開始時刻より予め定められた時間（例えば１時間）の録音が行われるものとしても構わない。
【００３９】
このように、メモリプレーヤー３に上記規則に従ってファイル名が付された音楽ファイル、あるいは録音データ入力用新規ファイルを格納すると、利用者は、図１（ｂ）に示すように、このメモリープレーヤ３を音楽記録再生装置４と接続する（ステップＳ３）。このとき、音楽記録再生装置４にＵＳＢ形式のインターフェースが備えられていれば、ＵＳＢ接続によってメモリプレーヤー３と音楽記録再生装置４とを接続するものとして良く、また接続可能な他のインターフェースによって接続するものとしても構わない。
【００４０】
音楽記録再生装置４は、メモリプレーヤー３が接続されたことを認識すると、メモリプレーヤー３内に格納されているファイル群より、上記規約に従ってファイル名が付けられているファイルを探知する。そして、該当するファイルが認知された場合、ファイル名に記載されている時刻に再生あるいは録音を行うようにタイマー設定が行われる。
【００４１】
なお、音楽記録再生装置４がタイマー設定処理を行うタイミングは、音楽記録再生装置４が初期化された時点（すなわち電源オフ後再び電源オン状態となった時点）で行うものとしても構わないし、電源がオフされた時点で行われるものとしても構わない。同様に、メモリプレーヤー３内に格納されているファイル群より、上記規約に従ってファイル名が付けられているファイルを探知するタイミングについても、音楽記録再生装置４の初期化時、あるいは電源オフ時に行われるものとしても構わない。このとき、電源をオフした状態においても、音楽記録再生装置４に備えられている内部時計は動作しているものとする。以下では、タイマー再生設定あるいはタイマー録音設定は電源オフ状態の下で行われるものとする。
【００４２】
そして、設定された時刻になると、音楽記録再生装置４はオフ状態から復帰するとともに、該当ファイルの再生を行う。上記例によれば、音楽記録再生装置４の内部時計が７時３０分を示すと、電源がオン状態になるとともに、ファイル「ＴＩＭＰ０７３０．ｍｐ３」がメモリープレーヤー３から読み込まれて再生される。このとき、当該ファイルを１回再生すると、電源を再びオフ状態に戻すか、あるいは定められた時間の間、何回か繰り返し再生を行うか、などのオプション設定を行うことができるものとする。このオプション設定を、ファイル名で指定するものとしても構わないし、音楽記録再生装置４側で設定できるものとしても構わない。
【００４３】
同様に、設定された時刻になると、音楽記録再生装置４はオフ状態から復帰するとともに、音源ソースより該当ファイルへの書き込みを行う。上記例によれば、音楽記録再生装置４の内部時計が８時００分を示すと、電源がオン状態になるとともに、音源ソースより出力される音声データをファイル「ＴＩＭＲ０８００＿０８３０．ｍｐ３」に対して書き込みを行う。このとき、音源ソースについても、ファイル名で指定できるものとしてもよい。例えば、「ＴＩＭＲ０８００＿０８３０＿ＦＭ８０ｐ２．ｍｐ３」と記載することで、ラジオのＦＭ８０．２ＭＨｚから受信される音声データを当該ファイルに書き込む構成とすることもできる。また、音源ソースの指定がない場合には、予め定められている規定の音源ソースを用いるか、あるいは最後に再生もしくは受信していた音源ソースから出力される音声データが書き込まれるものとしても構わない。
【００４４】
このように構成されることで、利用者は、音楽記録再生装置４に対してタイマー設定を行わずともタイマー再生あるいはタイマー録音が行われるため、従来のように、音楽記録再生装置側に対してキー操作により行う必要があった煩雑なタイマー設定が不要となる。また、音楽記録再生装置は、その機種ごとにタイマー設定の方法が異なり、利用者は機種ごとに設定方法を変える必要があったが、本発明の方法によれば、ファイル名を所定の規則の下で変更するだけで良いため、タイマー設定方法が音楽記録再生装置の機種に依存しない。
【００４５】
（２．構成要素の詳細な説明）
以下に、本発明の実現を可能にする各構成要素の詳細な説明を行う。図３は、図１に示される音楽記録再生装置４の構成を示すブロック図である。なお、図３において、音楽記録再生装置４は、ＣＤラジカセタイプの形状を想定しているが、これに限られるものではなく、ＣＤ、カセット、ラジオ、外部入力のうちの少なくとも一つの音源ソースから入力される音声情報を再生及び記録する機能を備えていれば良い。また、音楽記録再生装置４は、上述したように、メモリプレーヤー３との接続が可能なインタフェースを備えているものとする。
【００４６】
図３に示される音楽記録再生装置４は、全体のシステム制御を行うマイコン１１と、利用者がキー操作を行って音楽記録再生装置４に対して再生、録音、早送りなどの動作モードの指示を行う操作部１２と、現在再生している曲のタイトルなどが表示される表示部１３と、音楽記録再生装置４に対して接続されたＵＳＢメモリ装置（例えばメモリプレーヤー３）内に格納されるファイルに対して読み書きを行うための所定の処理を行うＵＳＢホスト処理部１５と、圧縮処理されている音声信号のダイナミックレンジを拡大するための伸張回路１６と、一時的にデータを保持するためのバッファ１７と、ＡＤ変換および音声データの圧縮処理を行うＡＤ圧縮部１８と、音源ソースを選択するためのセレクタ１９と、ＣＤを再生するためのユニットであるＣＤユニット部２１と、ＡＭ及びＦＭラジオ放送を受信するためのラジオユニット部２２と、他の機器から出力される音声データが入力されて音楽記録再生装置４から出力させるための外部入力処理部２３と、バッファ１７に保持されたデジタルデータをアナログデータに変換するＤＡ変換部２４と、アナログ変換された音声データを外部に出力するための処理を行う出力処理部２５と、を備える。
【００４７】
また、ＵＳＢホスト処理部１５は、ＵＳＢ形式で他のＵＳＢメモリ装置などと接続されるＵＳＢインターフェース３２と、実際にＵＳＢインターフェース３２を介して接続されているＵＳＢメモリ装置に対してファイルを読み書きするための処理を行うＵＳＢデータ処理部３１と、で構成される。
【００４８】
このＵＳＢデータ処理部３１は、実際にＵＳＢ形式でデータの送受信を行うことが可能かどうかを判定するとともに、可能な場合にＵＳＢ形式でデータを送受信するＵＳＢトランシーバ、ＵＳＢレシーバなどで構成される物理層処理部３３と、物理層処理部３３から与えられるデータのパケットデータを解析し、ＵＳＢマスストレージとしてのコマンド処理を行う論理層処理部３４と、ファイルシステムを管理し、実際に目的のファイルをＵＳＢメモリ装置から読み込む、あるいはＵＳＢメモリ装置にファイルを書き込むような処理を行うファイルシステム部３５と、ＵＳＢメモリ装置に記録されたファイルを所定の規則でソーティングするファイル管理部３６と、を備える。なお、ＵＳＢマスストレージとは、ＵＳＢの「マスストレージクラス」という規格に対応した機器のことで、当該規格に合致した機器は、パソコンのＵＳＢインターフェイスに接続して「記憶装置」として用いることができるものである。
【００４９】
なお、本発明の音楽記録再生装置４は、ファイルシステムとして「ＦＡＴ（File Alllocation Table）」フォーマットを採用するものとし、これによって、ＵＳＢインターフェース３２を介して、接続されるＵＳＢメモリ装置に対してファイルの読み書きを行うことができる構成である。
【００５０】
以下に、ＦＡＴフォーマットによってファイル管理を行う方法について簡単に説明する。図４は、ＦＡＴフォーマットによって採用される記録領域の構造を示す模式図である。図４に示されるように、記憶領域５０は、ファイル管理情報を格納するための管理データ領域５０ａと、実態データを格納するためのデータ領域５０ｂとで構成される。
【００５１】
管理データ領域５０ａは、ブートセクタであって、メディアの特性を表したＢＩＯＳパラメータブロック（ＢＰＢ）データが記録される予約領域５１と、ファイルやディレクトリを格納しているクラスタのリンク状態や使用クラスタ、不良セクタに関する情報を集めたテーブルが記録されるＦＡＴ領域５２と、ルートディレクトリが記録されるルートディレクトリ領域５３とで構成される。ルートディレクトリには、ファイルの名前、ディレクトリの名前、ファイルの属性、ＦＡＴエントリの番号など、ファイルに関する情報が記載される。
【００５２】
一方、データ領域５０ｂは、実際のファイルの内容が記録される領域である。当該領域はクラスタ毎に区切られており、ＦＡＴで示されるリンク状態に従って各ファイルのデータが記録される。階層ディレクトリの場合には、サブディレクトリの内容も記録される。
【００５３】
図５はＦＡＴ領域５２の構造を示したブロック図である。ＦＡＴの先頭１バイトには、記憶メディアのタイプを定義しているバイトの値であるＦＡＴＩＤが格納される。ＦＡＴＩＤの後に続く各３バイトには「０ｘＦＦ」が格納され、これ以降のバイトには実際のＦＡＴ情報が格納される。ＦＡＴには、１２ビットＦＡＴ、１６ビットＦＡＴ、３２ビットＦＡＴなど数種類が存在するが、図５は１６ビットＦＡＴの構成例を示しており、１６ビットで１つのエントリ（リンク先）を表している。
【００５４】
図５において、４バイト位置から５バイト位置にかけて格納されている「０ｘ０３００」は、すでにデータの割り当てが完了しており、次に続くのがクラスタ番号「００３０」であることを表している。同様に、６バイト位置から７バイト位置にかけて格納されている「０ｘ０４００」は、すでにデータの割り当てが完了しており、次に続くのがクラスタ番号「００４０」であることを表している。また、１２バイト位置から１３バイト位置にかけて格納されている「０ｘＦＦＦＦ」はデータの終了を表している。その他、「０ｘ００００」は空きクラスタを示す値であり、「０ｘＦＦＦ７」は欠陥クラスタを示す値である。
【００５５】
このように、ＦＡＴエントリに格納されている情報を検知することで、データが格納されているクラスタの位置や、未使用の空きクラスタの位置を把握することができる構成である。
【００５６】
次にディレクトリエントリについて説明する。ルートディレクトリやサブディレクトリには、ファイル、サブディレクトリ、ボリュームラベルなどが示される複数のディレクトリエントリが格納される。ルートディレクトリに使用される項目数は予め定められているため、ルート直下に作成できるファイルやディレクトリの数には制限がある。
【００５７】
図６は、１つのディレクトリエントリの構成を示すブロック図である。１つのエントリは３２バイトのデータから構成されており、ファイル名、拡張子名、ファイル属性、開始クラスタ番号、ファイルサイズなどが予め定められたセクタに格納されている。
【００５８】
すなわち、バイト位置０〜７にはファイル名が記載され、バイト位置８〜１０には拡張子名が記載され、バイト位置１１にはファイル属性が記載され、バイト位置１２〜２１は予約領域であり、バイト位置２２〜２３には更新された時刻が記載され、バイト位置２４〜２５には更新された日付が記載され、バイト位置２６〜２７には開始クラスタ番号が記載され、バイト位置２８〜３１にはファイルサイズが記載される構成である。
【００５９】
このように構成されるファイルシステムにおいて、あるファイル、例えば図７におけるサブディレクトリ「ＳＵＢ＿ＤＩＲ１」下のファイル「ＦＩＬＥ１」にアクセスする際の手順について説明を行う。図７において、ルートディレクトリ「ＲＯＯＴ」の下には、ＳＵＢ＿ＤＩＲ１などのサブディレクトリや、ＦＩＬＥ＿Ｘ、ＦＩＬＥ＿Ｙなどのファイルが存在する。また、アクセス対象とするサブディレクトリＳＵＢ＿ＤＩＲ１下には、ＦＩＬＥ１、ＦＩＬＥ２、ＦＩＬＥ３などのファイル、及びサブディレクトリＳＵＢ＿ＤＩＲ１１などが存在する構成であるとする。
【００６０】
図８は、図７におけるルートディレクトリエントリ６１、ＦＡＴの一部構成６２、データ領域６３、サブディレクトリＳＵＢ＿ＤＩＲ１のディレクトリエントリ６４、ＦＡＴの一部構成６５が示されている。
【００６１】
まず、ルートディレクトリエントリ６１を読み込み、ルートディレクトリエントリ６１の先頭エントリから順にファイル名を検索し、対象となるサブディレクトリ「ＳＵＢ＿ＤＩＲ１」をエントリ４で見つけると、そのエントリに記述されている開始クラスタ番号（図８の例では「０ｘ０００８」）を得る。この開始クラスタ番号０ｘ０００８は、サブディレクトリＳＵＢ＿ＤＩＲ１のディレクトリエントリ６４がデータ領域６３のどのクラスタから格納されているかを示している。
【００６２】
そして、アクセス対象となるファイルＦＩＬＥ１が、データ領域６３のどこに格納されているかを検知するため、サブディレクトリＳＵＢ＿ＤＩＲ１のディレクトリエントリ６４を読み込み、ルートディレクトリエントリ６１のときと同様、先頭エントリから順にファイル名を検索し、対象となるファイル「ＦＩＬＥ１」を見つけると、そのエントリに記述されている開始クラスタ番号（図８の例では「０ｘ００２Ｆ」）を得る。
【００６３】
例えば、図８に示されるように、ファイルＦＩＬＥ１が複数クラスタから構成されるときは、ＦＡＴ６６を参照し、まずクラスタ番号０ｘ００２Ｆの領域には「０ｘ００３０」が記載されていることを確認し、クラスタ番号０ｘ００３０の領域にはデータ終端を示す「０ｘＦＦＦＦ」が記載されていることを確認すると、このファイルＦＩＬＥ１が、データ領域６３のクラスタ０ｘ００２Ｆ及び０ｘ００３０の領域に格納されていることを認識して、これらのクラスタにアクセスすることでファイルＦＩＬＥ１のデータを読み出す。また、同様のアクセス手順によってファイルＦＩＬＥ１に対してデータの書き込みを行う。
【００６４】
また、新しくデータを書き込む場合には、ＦＡＴに記載されている空きクラスタを検索しながら、この空きクラスタによって指定されるデータ領域にデータを書き込むとともに、ＦＡＴ及びディレクトリエントリの情報を更新する。このとき、新しく書き込まれたファイルのファイル名やファイル属性など、図８に示すディレクトリエントリの各構成要素が更新される。
【００６５】
本発明の音楽記録再生装置４においても、上述したＦＡＴフォーマットによってファイル管理が行われているＵＳＢメモリ装置に対してデータの読み書きが行われる構成である。このとき、ＵＳＢインターフェース３２を介してＵＳＢメモリが接続されると、物理層処理部３３、論理層処理部３４で行われる各処理を経て、ファイルシステム部３５が、ルートディレクトリエントリおよび各ディレクトリのディレクトリエントリを読み出して、ＵＳＢメモリに格納されているファイル構成を認識する。さらに、ファイル管理部３６は、ファイルシステム部３５が認識したメモリ情報から、ＵＳＢメモリ装置に格納されているファイルのうち、音声ファイルのみを選択すしてリストアップするとともに（リスティング処理）、このファイルに記載されている曲名やアーティスト名および開始アドレスを取得して、曲名やアーティスト名などの各項目ごとに並べ替えを行う（ソーティング処理）。このリスティング処理及びソーティング処理された結果は、テーブルとしてファイル管理部３６で保持される。
【００６６】
また、このとき、ファイル管理部３６は、上述したような本発明の規則に該当する名前が付されたファイル（例えば「ＴＩＭＰ０７３０．ｍｐ３」）を検知すると、当該ファイル名を記憶し、マイコン１１からの要求に応じてこの情報を返す処理を行う構成である。
【００６７】
このＵＳＢホスト処理部１５は、マイコン１１からの指定曲の再生コマンドや曲名・アーティスト名などの取得コマンドを受けるためのシステムマイコンインターフェースを持つ。マイコン１１から指定された曲は、ファイル管理部３６によって生成されたテーブルに基づいて下位のファイルシステム処理に伝えられ、該当するファイルを検索して、曲データの再生あるいは記録が行われる。
【００６８】
利用者は、操作部１２を操作することで、録音、再生などの指示をマイコン１１に与え、マイコン１１が、操作部１２からの指示内容に基づいて、各ブロックに対して制御を行う。例えば、利用者がＣＤプレイヤーの再生を行いたい場合、操作部１２を操作することで、ＣＤの再生指示信号をマイコン１１に与え、マイコン１１がＣＤユニット部２１に対して、再生の指示を行う。また、セレクタ１９に対し、入力音源ソースをＣＤユニット部２１にする旨の選択指示を与える。そして、ＣＤユニット部２１は、マイコン１１からの信号に基づいて再生を行い、再生によって出力される信号がセレクタ１９を介して再生出力アンプに送られ、外部に出力される。
【００６９】
このように構成される音楽記録再生装置４を利用して、メモリプレーヤー３に対して自動録音を行う方法およびメモリープレーヤー３に格納されている音楽ファイルを読込んで自動再生を行う方法について説明を行う。まず、図面を参照してメモリープレーヤー３の構成について説明を行う。
【００７０】
図９は、図１に示されるメモリプレーヤー３の構成を示すブロック図である。メモリプレーヤー３は、全体の制御を司るマイコン７５と、ＵＳＢ形式でＵＳＢホストとなるパソコンなどと接続されるＵＳＢインターフェース７１と、接続されるホストに対してＵＳＢメモリ装置として認識させる旨の信号を供給するＵＳＢデバイスコントローラ７２と、ＦＡＴ形式でファイル管理を行うファイルシステム部７３と、ファイルが格納されるメモリ７４と、外部より利用者によって操作される操作部７６と、再生曲データなどが表示される表示部７７と、ファイルシステム部７３から与えられる音楽ファイルをデコード処理するデコーダ部７８と、デコーダ部７８によってデコードされたデジタル信号をアナログ変換するＤＡ変換部７９と、ＤＡ変換部７９から出力されるアナログ信号を外部に出力するための処理を行う出力処理部８０と、を備える。出力処理部８０から出力されるアナログ信号は、ヘッドホンなどと接続され、この音声がヘッドホン装着者に聴取される。
【００７１】
メモリプレーヤー３は、単体でファイルの再生を行うことができるプレーヤーであり、ＵＳＢでパソコンなどと接続されることでＵＳＢメモリとしての機能も用いることができる。
【００７２】
ＵＳＢ形式でパソコンなどのホストと接続されていない状況下で、利用者が操作部７６を操作することで、内蔵メモリに格納されている音楽ファイルを再生する指示を行うと、その旨の信号がマイコン７５に与えられる。マイコン７５は、ファイルシステム部７３に対し、指定のファイルをメモリ部７４から読み出す指示を行う。ファイルシステム部７３は、当該指定されたファイルをメモリ７４から読み出すと、デコーダ部７８に出力する。その後、デコード処理、ＤＡ変換処理、出力処理が施されて、利用者が聴取できる形式となる。
【００７３】
また、このとき、一つ以上のディレクトリに含まれる複数のファイルを再生する場合や、リピート再生を行う場合、ランダム再生を行う場合などの命令についても利用者が操作部７６を操作することで行うことのできる構成であり、この場合、一ファイルが再生終了後、次に再生される音楽ファイルが上述と同様にファイルシステム部７３からデコーダ部７８、ＤＡ変換部７９、出力処理部８０へと順次送られて処理が施される。
【００７４】
一方、ＵＳＢインターフェース７１がパソコンなどのホスト装置とＵＳＢ形式で接続された場合、ＵＳＢデバイスコントローラ７２がホストに対してＵＳＢ装置として認識される旨の信号を与える。また、ＵＳＢ装置としてホストによって認識された後、ＵＳＢデバイスコントローラ７２は、ホストからの指示によって、指定の位置にデータを受け取る処理、あるいは指定の位置のデータをホストに与える処理を行う。そして、ファイルシステム部７３が、ＵＳＢデバイスコントローラ７２から与えられる指示信号に基づいて、実際にファイルの読み書きを行うメモリ部７４の位置に変換して読み書きを行う。このように、データの読み書きについては、すべてホスト装置が主導で行われる構成である。
【００７５】
（３．動作の詳細な説明）
このように構成される上記音楽記録再生装置４によって、ＵＳＢ接続されたメモリプレーヤー３にラジオ放送を録音する方法について以下に説明を行う。なお、以下では音源をＦＭラジオ放送とするが、ＣＤ音源や外部入力など他の音源からの出力を録音する場合も、音源を変更する以外に録音方法は同一であるため、説明を省略する。
【００７６】
上述の例と同様、８時から８時３０分までのラジオのＦＭ８０．２ＭＨｚから受信される音声データをｍｐ３形式で録音する場合について説明を行う。利用者は、予めメモリプレーヤー３内に、空ファイル「ＴＩＭＲ０８００＿０８３０＿ＦＭ８０ｐ２．ｍｐ３」を作成しておく。このとき、メモリプレーヤー３をパソコン２と接続し、パソコン２よりメモリプレーヤー３をＵＳＢメモリとして認識させた上で、メモリ部７４内の任意のディレクトリ位置に上記空ファイルを作成するものとする。
【００７７】
そして、当該ファイルがメモリ内に存在するメモリプレーヤー３を、ＵＳＢインターフェース３２を介して音楽記録再生装置４とＵＳＢ形式によって接続する。
【００７８】
ＵＳＢインターフェース３２は、外部に何らかの装置がＵＳＢ接続によって接続されたことを認識し、その旨の情報をＵＳＢデータ処理部３１に与える。ＵＳＢデータ処理部３１は、ＵＳＢインターフェース３２を介して、接続されているメモリプレーヤー３に対してアクセスを行い、メモリプレーヤー３に格納されているディレクトリおよびファイルの情報を取得し、ファイル管理部３６にその情報を記憶させる。上述したように、メモリプレーヤー３は、ＦＡＴ形式によってファイル管理がされており、メモリプレーヤー３内のルートディレクトリエントリ及び各サブディレクトリのディレクトリエントリを探査することで、メモリプレーヤー３内に記憶されている全てのファイルの情報を取得することができる。このとき、格納されているファイルのうち、拡張子より音楽データを示すファイルであると認識されたものについては、各ファイルに記載されている曲情報、アーティスト情報などの所定の情報を取得するとともに、ファイル管理部３６において曲名やアーティスト名などの各項目毎にソーティングされ、この情報がテーブルとして保持される。
【００７９】
そして、メモリプレーヤー３内に、上記規則に従って生成されたファイル（この例で言えば、「ＴＩＭＲ０８００＿０８３０＿ＦＭ８０ｐ２．ｍｐ３」）を検知すると、このファイルが、自動的に録音が行われる録音先となる空ファイル（以下、「自動録音指定ファイル」と呼称する）であることを認識して、ファイル管理部３６がその情報を保持するとともに、自動録音指定ファイルの存在を示す情報をマイコン１１に与える。そして、この情報はマイコン１１上に備えられる内部メモリに保有される。なお、自動録音指定ファイルが複数存在する場合には、すべての自動録音指定ファイルの情報をマイコン１１に与えるものとする。
【００８０】
マイコン１１は、当該指定ファイルの情報より、録音開始時刻、録音終了時刻、録音開始ファイルの開始アドレスを設定する。上記の例では、８時から８時３０分までの間、ＦＭ８０．２ＭＨｚのラジオ放送より、メモリプレーヤー３内のファイル「ＴＩＭＲ０８００＿０８３０＿ＦＭ８０ｐ２．ｍｐ３」に書き込む処理を行うための設定を行う。
【００８１】
具体的には、録音開始時刻の所定時間（例えば数秒程度）前になると、指定された音源（上記例ではラジオユニット部２２）に対して音源出力を行う指示を与えるとともに、セレクタ１９に対してもラジオユニット部２２からの出力信号が入力されるように設定を行う指示を与える。一方で、ＵＳＢデータ処理部３１に対し、メモリプレーヤ３内のファイル「ＴＩＭＲ０８００＿０８３０＿ＦＭ８０ｐ２．ｍｐ３」にアクセスして、出力信号を書き込む指示を行う。また、所定の終了時刻（上記例では８時３０分）になると、ＵＳＢデータ処理部３１に対し、書き込み処理を終了する信号を与える。
【００８２】
ラジオユニット部２２より出力されるラジオ信号が、セレクタ１９を介してＡＤ圧縮部１８に送られてデジタル変換および圧縮処理が施された後、バッファ１７で一時的に保管される。そして、圧縮処理が施されたデジタル信号がバッファ１７からＵＳＢホスト処理部１５へと送られ、ＵＳＢインターフェース３２よりメモリプレーヤー３へと与えられる。
【００８３】
メモリプレーヤ３側では、音楽記録再生装置４よりＵＳＢインターフェース７１を介して与えられたこのデジタルデータがメモリ部７４内の予め定められた所定の位置に格納される。なお、メモリ部７４内におけるデータ格納位置に関しては、メモリプレーヤー３が音楽記録再生装置４にＵＳＢ接続された時点で、音楽記録再生装置４がメモリプレーヤー３内の録音先指定ファイルが格納されているメモリ位置を把握するとともに、この位置情報をＵＳＢデバイスコントローラ７２に与えており、この位置情報に基づいてデジタルデータの格納先が決定される。
【００８４】
一方、録音終了時刻が到達すると、マイコン１１がＵＳＢホスト処理部１５に対してファイルの書込処理を終了する旨の指示を与える。ＵＳＢホスト処理部１５は、メモリプレーヤー３に対する書込アクセスを停止するとともに、セレクタ１９に対して、入力される信号をＡＤ変換部１８に出力しないように制御を行う。なお、このとき、終了時刻が到達した時点で、音源ソースそのものの運転を停止（上記例でいえば、ラジオユニット部２２の運転を停止）するものとしても構わない。すなわち、終了時刻が到達した後も、音源ソースから入力されるアナログ信号に対してデジタル圧縮処理を施さないような処置を行う構成であれば良い。
【００８５】
このように構成されることで、予め定められた形式のファイルを準備しておけば、利用者が複雑な予約設定を行うことなく、自動的に指定音源ソースから録音操作を行うことができるため、利便性が向上する。
【００８６】
なお、自動録音指定を行う際、音源ソースを明記しないファイル名を付けた場合（例えば、「ＴＩＭＲ０８００＿０８３０．ｍｐ３」）には、既定の音源ソースが自動的に選択されるものとしても構わないし、ファイル名エラーとして自動録音指定を行わないものとしても構わない。
【００８７】
また、自動録音指定先ファイルを予め定められた名前の所定のディレクトリ内（例えば、「ＴＩＭＰｄｉｒ」）に準備しておくことで、当該ディレクトリ内のみを検索すればよく、自動録音ファイルの存在を検索する時間短縮が図れる。また、利用者にとっても、当該ディレクトリ内のファイルを選択して再生すればよく、録音処理後の利便性が向上する。
【００８８】
次に、メモリプレーヤー３に格納されたファイルを所定時刻に自動再生を行う方法について、録音動作の時と同様に説明する。
【００８９】
録音時と同様、予め、利用者はメモリプレーヤー３内に、上記規則に従って名付けられたファイルを準備しておく。例えば、７時３０分に自動再生を行いたいファイルとして、ある音楽ファイル「ＡＢＣＳＯＮＧ．ｍｐ３」のファイル名を「ＴＩＭＰ０７３０．ｍｐ３」に変更しておく。そして、このようにファイル名が変更された状態でメモリプレーヤー３と音楽記録再生装置４とをＵＳＢ形式によって接続する。
【００９０】
ＵＳＢデータ処理部３１は、メモリプレーヤー３内のルートディレクトリエントリ及び各サブディレクトリのディレクトリエントリを探査し、格納されているファイルのうち、上記規則に従って生成されたファイル（この例で言えば、「ＴＩＭＰ０７３０．ｍｐ３」）を検知すると、このファイルが、自動再生を行う対象となる音楽ファイルであることを認識して、ファイル管理部３６がその情報を保持するとともに、自動再生指定ファイルの存在を示す情報をマイコン１１に与える。そして、この情報はマイコン１１上に備えられる内部メモリに保有される。なお、自動再生指定ファイルが複数存在する場合には、すべての自動再生指定ファイルの情報をマイコン１１に与えるものとする。
【００９１】
なお、自動録音指定ファイルと自動再生指定ファイルとが同時にメモリプレーヤー３内に混在している場合においても、両者それぞれの情報をファイル管理部３６が保持するとともに、マイコン１１にその情報を与える構成として構わない。
【００９２】
マイコン１１は、自動再生予定時刻（上記例では７時３０分）の所定時間（例えば数秒）前になると、メモリプレーヤー３から該当する音楽ファイル「ＴＩＭＰ０７３０．ｍｐ３」を読み出して再生する指示をＵＳＢホスト処理部１５に与える。ＵＳＢホスト処理部１５は、メモリプレーヤー３から当該ファイルを読み出して、このデジタルデータを伸張回路１６に与え、伸張回路１６が圧縮されたデジタルデータに対して伸張処理を施す。
【００９３】
伸張処理されたデジタルデータは、バッファ１７において一時的にデータが保持された後、ＤＡ変換部２４に送られてアナログデータとして変換され、出力処理部２５へ送られる。そして、出力処理部２５で出力処理が施されて、利用者が聴取できる形式となる。
【００９４】
このとき、ファイル「ＴＩＭＰ０７３０．ｍｐ３」以外に自動再生指定ファイルならびに自動録音指定ファイルが存在しない場合、予め再生時間が３０分経過すると自動的に再生を終了する旨の設定がされているものとすると、この３０分間は当該ファイルに格納された音楽データを出力するとともに、３０分が経過した時点で、メモリプレーヤ３からのデータ読み込み、ならびに音声出力を停止する指示をマイコンが与える。
【００９５】
なお、この再生時間指示、ならびにリピート再生を行うかどうかについての指示は、予め音楽記録再生装置４上で設定できるものとしても構わないし、ファイル名で設定しても構わない。なお、ファイル「ＡＢＣＳＯＮＧ．ｍｐ３」を７時３０分から３０分間リピート再生する設定を行う場合は、例えば「ＴＩＭＰ０７３０〜３０Ｍ．ｍｐ３」とファイル名をつけることで実現できるものとすることができる。この場合、ＵＳＢデータ処理部３１が当該ファイルの存在を検知すると、ファイル管理部３６がその情報を保持するとともに、３０分間に渡ってファイル「ＴＩＭＰ０７３０〜３０Ｍ．ｍｐ３」に記録されている音楽データをリピート再生する旨の情報がマイコン１１上に備えられる内部メモリに保有される。そして、７時３０分から３０分間、マイコン１１からの指示によって当該ファイルのリピート再生が行われる。
【００９６】
また、自動再生を所定時間行いたい場合に、上記規則に従って名付けられたディレクトリ名（例えば、「ＴＩＭＰ０７３０ｄｉｒ」）内に、複数の音楽ファイルを入れておくことで、設定時刻になると所定時間内は、当該ディレクトリ内に保管されている音楽ファイルを連続的に再生される構成としても構わない。
【００９７】
また、自動再生指定ファイルおよび自動録音指定ファイルの情報がマイコン１１に与えられた際、同一時刻に複数のファイルにアクセスする可能性があるとマイコン１１に判断された場合においては、当該指定時刻になるとマイコン１１が選択した一のファイルに対して読込あるいは書込を行う構成としても構わないし、エラー信号を返すとともに、自動再生処理あるいは自動録音処理を行わない構成としても構わない。
【００９８】
なお、自動録音ならびに自動再生指定項目として、時刻、時間、音源ソースの他に、例えば曜日や日にちなどの項目を追加できる構成としても構わない。この場合、ある定められた曜日の指定時刻から所定時間、自動的に同一ファイルに録音を行う設定にしておけば、例えば定められた曜日の定められた時間に行われるラジオ講座などを一ファイルに自動録音することができるため、利便性が高い。
【００９９】
このとき、録音先ファイルの最後尾から追記して記録するか、あるいはファイルの先頭から記録するかについてもファイル名で指定することができる構成としても構わない。例えば、毎日決められた時間に決められた放送局の番組を録音したい場合には、追記モードとしてのファイル名「ＴＩＭＲ０８００＿０８３０＿ＦＭ８０ｐ２＿ａ．ｍｐ３」とすることで（ａが追記モードを表すオプションとする）、当該ファイルを常に準備しておけば毎日このファイルに指定番組が追記録音されていくため、毎回空ファイルを用意する必要がなく、利便性が高まる。
【０１００】
同様に、一度録音されたファイルを再生したため、当該ファイルに対して録音データを上書きしても構わない場合には、上書きを表すオプションをファイル名に設けることでファイルのサイズを一定レベルに抑制することができる。このとき、例えばファイル名を「ＴＩＭＲ０８００＿０８３０＿ＦＭ８０ｐ２＿ｏ．ｍｐ３」とすることで（ｏが上書きモードを表すオプションとする）、上書きモードが実現できるものとしても構わない。
【０１０１】
さらに、上述において、自動録音設定によって録音処理が行われたファイルを所定時刻に自動再生する設定をファイル名で行うことができるものとしても構わない。例えば、上記の例で言えば、８時から８時３０分までの間、ＦＭ８０．２ＭＨｚのラジオ放送を録音するとともに、この録音先ファイルを２０時から自動再生したい場合には、例えば、ファイル名を「ＴＩＭＲ０８００＿０８３０＿ＦＭ８０ｐ２＾ＴＩＭＰ２０００．ｍｐ３」のように設定することで実現できるものとして良い。
【０１０２】
また、上記では音楽録音再生装置４とデータの授受を行うＵＳＢメモリとしてメモリプレーヤー３を用いるものとして説明を行ったが、音楽再生機能を有さないメモリ機能だけを備えるＵＳＢメモリとしても構わない。さらには、自動音楽再生処理を行う場合に限れば、ＵＳＢ形式に限られず、他の形式で接続されるメモリでも構わないし、さらには例えばＣＤ−ＲＯＭなどの記録媒体に記録された形式でも構わない（図１０）。図１０は、図３とほぼ同じ構成であるが、ＣＤユニット部２１が、ファイル管理部８１、ファイルシステム部８２を備えるとともに、ＣＤユニット部２１からの出力信号も伸張回路１６に送ることができる構成である。なお、ファイル管理部８１、ファイルシステム部８２は、ファイル管理部３６及びファイルシステム部３５と同様の機能を示すものとし、説明を省略する。この場合、当該ＣＤ−ＲＯＭを音楽記録再生装置４のＣＤユニット部２１に挿入するとともに、このＣＤユニット部２１が、ＦＡＴ形式のフォーマットによってファイル管理が行われているＣＤ−ＲＯＭに対してデータの読み込みが行われる構成であるものとする。
【０１０３】
この場合は、自動再生指定ファイルの存在をＣＤユニット部２１が検知すると、その情報をマイコン１１に与えるとともに、当該指定された時刻になると、ＣＤユニット部２１から指定されたファイルが読み出されて出力される構成である。このとき、ＣＤユニット部２１から出力されたデジタルデータが、伸張回路１６に送られて伸張処理が施された後、バッファ１７において一時的にデータが保持された後、ＤＡ変換部２４に送られてアナログデータとして変換され、出力処理部２５へ送られる。そして、出力処理部２５で出力処理が施されて、利用者が聴取できる形式となる。
【０１０４】
なお、上述したメモリプレーヤ３が内部に時計機能を備えているものである場合には、メモリプレーヤ３単体で自動再生を行う構成とすることができる。この場合、ファイルシステム部７３がメモリ部７４内に格納されているファイルのファイル名より、自動再生指定ファイルの存在を検知すると、当該情報がマイコン７５に与えられ、マイコン７５内のメモリに保持されるとともに、指定時刻になると自動再生指定ファイルを読込んでデコード処理、ＤＡ変換処理を経て出力処理部８０から出力する指示をマイコン７５がファイルシステム部７３に与える構成としても構わない。
【０１０５】
本発明の構成によれば、再生用ファイルあるいは録音先ファイルに予めタイマー再生用情報ならびにタイマー録音用情報を記載しているため、複雑なキー操作やリモコン操作なしにタイマー再生ならびにタイマー録音を行うことができる。特にポータブルタイプやラジカセタイプのようにコストとサイズ面から表示部の大きさや設置可能なキーの数に物理的制限があるシステムにおいても、タイマー再生機能ならびにタイマー録音機能を実現できるという利点がある。
【０１０６】
また、汎用的なファイルシステム（ＦＡＴ形式）を搭載した媒体を用いるため、設定が共通化され、本発明の規約に従う装置であれば互換性が保証される。これにより利用者は、装置毎に異なるタイマー再生方法ならびにタイマー録音方法を習得する必要がなく、利便性が向上する。
【０１０７】
特に、キー操作やリモコン操作でタイマー再生を行う対象を選択する方法は複雑な操作を必要としていたが、本発明によれば、タイマー再生で指定される曲そのものに対してタイマー情報が容易に設定できるため、好みの曲に応じたタイマー再生が容易に行える。
【０１０８】
また、一度自動再生（録音）設定を行えば、媒体側（メモリプレーヤー、ＵＳＢメモリ、ＣＤ−ＲＯＭなど）に自動再生（録音）設定情報が（ファイル名として）書かれているため、停電で自動再生設定情報が消去されるということが起こらず、タイマー設定を維持することが可能である。
【０１０９】
さらに、上記規則に従って名付けられたファイルを予めＣＤ−ＲＯＭなどの記録媒体に用意しておけば、利用者がファイル名の変更手続きを行うことなく、音楽記録再生装置に当該記録媒体をセットするだけでタイマー設定が行える上に、互換性・汎用性があり、利便性が向上する。
【０１１０】
また、自動録音設定を行う際、録音先のファイルエントリを作成するため、利用者は録音先ファイルが格納されるディレクトリを予め指定できる構成であり、これによって情報の整理・検索を容易に行うことができる。更に、一度設定すれば同じ媒体を装置にセットするだけで例えば毎週同じ時刻に録音を繰り返し追加録音あるいは上書き録音を行うことができる。従って利用者は、目的の（ラジオ）番組を録音する際、その番組用の記録媒体をセットするだけでよく、複雑な操作が不要である。さらにファイル名で設定するため、複数の時間帯において、複数の番組を容易に自動録音設定することができる。
【０１１１】
さらに録音時に録音先ファイルに追記するか、上書きするかについてファイル名の付け方によって指定することができる構成であるため、単発の録音と継続的追加しながら録音する必要のある番組などの録音との使い分けることができ、利便性が向上する。
【産業上の利用可能性】
【０１１２】
本発明の再生装置、記録再生装置は、オーディオコンポやＣＤラジカセなどに対して好適に利用され得る。
【図面の簡単な説明】
【０１１３】
【図１】は、本発明の一実施例を示す概念図である。
【図２】は、ファイル名の変更の説明を示すための模式図である。
【図３】は、図１に示される音楽記録再生装置４の構成を示すブロック図である。
【図４】は、ＦＡＴフォーマットによって採用される記録領域の構造を示す模式図である。
【図５】は、１６ビットＦＡＴの構成例を示している。
【図６】は、１つのディレクトリエントリの構成を示すブロック図である。
【図７】は、ファイルにアクセスする手順を説明するための一ディレクトリ構成例である。
【図８】は、図７のディレクトリ構成下における一ファイルへのアクセス手順を説明するための模式図である。
【図９】は、図１に示されるメモリプレーヤー３の構成を示すブロック図である。
【図１０】は、図１に示される音楽記録再生装置４の構成を示す別のブロック図である。
【符号の説明】
【０１１４】
１    システム
２    パーソナルコンピュータ
３    メモリプレーヤー
４    音楽記録再生装置
１１    マイコン
１２    操作部
１３    表示部
１５    ＵＳＢホスト処理部
１６    伸張回路
１７    バッファ
１８    ＡＤ圧縮部
１９    セレクタ
２１    ＣＤユニット部
２２    ラジオユニット部
２３    外部入力処理部
２４    ＤＡ変換部
２５    出力処理部
３１    ＵＳＢデータ処理部
３２    ＵＳＢインターフェース
３３    物理層処理部
３４    論理層処理部
３５    ファイルシステム部
３６    ファイル管理部
５０    記憶領域
５０ａ    管理データ領域
５０ｂ    データ領域
５１    予約領域
５２    ＦＡＴ領域
５３    ルートディレクトリ領域
６１    ルートディレクトリエントリ
６２    ＦＡＴの一部構成
６３    データ領域
６４    ディレクトリエントリ
６５    ＦＡＴの一部構成
７１    ＵＳＢインターフェース
７２    ＵＳＢデバイスコントローラ
７３    ファイルシステム部
７４    メモリ
７５    マイコン
７６    操作部
７７    表示部
７８    デコーダ部
７９    ＤＡ変換部
８０    出力処理部
８１    ファイル管理部
８２    ファイルシステム部
【図１】
2007127686.tif 000003
【図２】
2007127686.tif 000004
【図３】
2007127686.tif 000005
【図４】
2007127686.tif 000006
【図５】
2007127686.tif 000007
【図６】
2007127686.tif 000008
【図７】
2007127686.tif 000009
【図８】
2007127686.tif 000010
【図９】
2007127686.tif 000011
【図１０】
2007127686.tif 000012